【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
第一の色域から第二の色域に色値を変換する方法であって、
第一の色域における第一の装置非依存色値を得るステップと、
前記第一の装置非依存色値に非線形色調圧縮マッピングを適用して、前記第二の色域における第二の装置依存色値を生成するステップと、
を含むことを特徴とする方法。
【請求項２】
請求項１に記載の方法であって、
非線形色調圧縮マッピングを適用するステップは、
第一の色調範囲に対応する装置非依存色値に黒点補正オフセットを適用するステップと、
第二の色調範囲に対応する装置非依存色値に約１の勾配での色調圧縮マッピングを適用するステップと、
を含むことを特徴とする方法。
【請求項３】
請求項２に記載の方法であって、
前記黒点補正オフセットは固定オフセットであることを特徴とする方法。
【手続補正２】
【補正対象書類名】明細書
【補正対象項目名】００４８
【補正方法】変更
【補正の内容】
【００４８】
実施例により、ＢＰＣ関数は、ＢＰＣ値を特定の色入力値へのインデックス付の１つまたは複数のルックアップテーブル（ＬＵＴ）でも実装できる。ＬＵＴは、プロセッサ４２によって呼び出し可能な独立型ＬＵＴであっても、プロファイルの中に内蔵させてもよい。いずれの場合も、ＬＵＴの中のＢＰＣ値は、ＢＰＣ関数により、異なる領域、つまりハイライトトーンとシャドウトーンに入る色値に適用されるべき調整を表す。したがって、改良されたＢＰＣ技術は、ＢＰＣ調整量を求めるためにプロセッサ４２によって計算される数学的関数またはスプラインとして、あるいは特定の色入力値に応答して数学的関数によって出力されるＢＰＣ調整量を表す、事前に計算されたインデックス付きのＬＵＴエントリのグループとしても適用できる。
［補遺］
上記実施形態は、以下のような態様も表している。
（ア）  請求項２に記載の方法であって、
非線形色調圧縮マッピングを適用するステップは、前記第一と第二の色調範囲を含む色調範囲全体を通じて変動色調圧縮を適用するステップを含むことを特徴とする方法。
（イ）  請求項３に記載の方法であって、
前記変動色調圧縮の量は、前記第一の色調範囲から前記第二の色調範囲に向かって徐々に増加することを特徴とする方法。
（ウ）  請求項２に記載の方法であって、
前記第一の色調範囲はシャドウトーンに略対応し、前記第二の色調範囲はハイライトトーンに略対応することを特徴とする方法。
（エ）  請求項２に記載の方法であって、さらに、
数学的関数に基づく色調圧縮マッピングを適用するステップを含むことを特徴とする方法。
（オ）  請求項１に記載の方法であって、
前記非線形色調圧縮マッピングを適用するステップは、以下の表現を前記色値に適用するステップを含むことを特徴とする方法。
ｆ（ｘ）＝ＢＰＣ＋（１−ＢＰＣ）ｘ−ＢＰＣｘ（１−ｘ），
ｆ（ｘ）＝ＢＰＣｘ2＋（１−２ＢＰＣ）ｘ＋ＢＰＣ
ただし、ｘは色値であり、ＢＰＣは黒点補正オフセットである。
（カ）  請求項１に記載の方法であって、さらに、
前記色値を知覚的赤、緑、青（ＲＧＢ）色空間に変換するステップと、前記変換された色値に前記非線形色調圧縮マッピングを適用するステップを含むことを特徴とする方法。
（キ）  上記項目（カ）に記載の方法であって、
前記知覚的ＲＧＢ色空間のガンマは約１．５から３．０の範囲であることを特徴とする方法。
（ク）  請求項１に記載の方法であって、
前記第一の色域は赤、緑、青（ＲＧＢ）色域であり、前記第二の色域はシアン、マゼンタ、黄、黒（ＣＭＹＫ）色域であることを特徴とする方法。
（ケ）  請求項１に記載の方法であって、
前記第一の色域は赤、緑、青（ＲＧＢ）装置に関連付けられ、前記第二の色域はシアン、マゼンタ、黄、黒（ＣＭＹＫ）新聞印刷機に関連付けられていることを特徴とする方法。
（コ）  請求項１に記載の方法であって、
前記第一の色域はシアン、マゼンタ、黄、黒（ＣＭＹＫ）枚葉オフセット印刷仕様（ＳＷＯＰ）の画像装置に関連付けられ、前記第二の色域はＮｅｗｓｐｒｉｎｔ  Ａｄｖｅｒｔｉｓｉｎｇ  Ｐｒｏｄｕｃｔｉｏｎ仕様（ＳＮＡＰ）の画像装置に関連付けられることを特徴とする方法。
（サ）  第一の色域から第二の色域に色値をマッピングするためのシステムであって、
前記システムは、
第一の色域における第一の装置非依存色値を取得し、
前記第一の装置非依存色値に非線形色調圧縮マッピングを適用して、前記第二の色域における第二の装置依存色値を生成する
ようにプログラムされたプロセッサを備えることを特徴とするシステム。
（シ）  上記項目（サ）に記載のシステムであって、
前記非線形色調圧縮マッピングは、第一の色調範囲に対応する装置非依存色値のための黒点補正オフセットと、第二の色調範囲に対応する装置非依存色値のための約１の勾配の色調圧縮マッピングを含むことを特徴とするシステム。
（ス）  上記項目（シ）に記載のシステムであって、
前記黒点補正オフセットは固定オフセットであることを特徴とするシステム。
（セ）  上記項目（シ）に記載のシステムであって、
前記非線形色調圧縮マッピングは、前記第一と第二の色調範囲を含む色調範囲を通じて変動色調圧縮を含むことを特徴とするシステム。
（ソ）  上記項目（セ）に記載のシステムであって、
前記変動色調圧縮の量は、前記第一の色調範囲から前記第二の色調範囲に徐々に増加することを特徴とするシステム。
（タ）  上記項目（シ）に記載のシステムであって、
前記第一の色調範囲はシャドウトーンに略対応し、前記第二の色調範囲はハイライトトーンに略対応することを特徴とするシステム。
（チ）  上記項目（シ）に記載のシステムであって、
前記プロセッサは数学的関数にしたがって色調圧縮マッピングを適用することを特徴とするシステム。
（ツ）  上記項目（サ）に記載のシステムであって、
前記非線形色調圧縮マッピングは、前記色値への下式の適用を含むことを特徴とするシステム。
ｆ（ｘ）＝ＢＰＣ＋（１−ＢＰＣ）ｘ−ＢＰＣｘ（１−ｘ），
ｆ（ｘ）＝ＢＰＣｘ2＋（１−２ＢＰＣ）ｘ＋ＢＰＣ
ただし、ｘは色値であり、ＢＰＣは黒点補正オフセットである。
（テ）  上記項目（サ）に記載のシステムであって、
前記プロセッサは前記色値を知覚的赤、緑、青（ＲＧＢ）色空間に変換し、前記変換された色値に前記非線形色調圧縮マッピングを適用することを特徴とするシステム。
（ト）  上記項目（テ）に記載のシステムであって、
前記知覚的ＲＧＢ色空間のガンマは約１．５から３．０の範囲であることを特徴とするシステム。
（ナ）  上記項目（サ）に記載のシステムであって、
前記第一の色域は赤、緑、青（ＲＧＢ）色域であり、前記第二の色域はシアン、マゼンタ、黄、黒（ＣＭＹＫ）色域であることを特徴とするシステム。
（ニ）  上記項目（サ）に記載のシステムであって、
前記第一の色域は赤、緑、青（ＲＧＢ）装置に関連付けられ、前記第二の色域はシアン、マゼンタ、黄、黒（ＣＭＹＫ）新聞印刷機に関連付けられることを特徴とするシステム。
（ヌ）  上記項目（サ）に記載のシステムであって、
前記第一の色域はシアン、マゼンタ、黄、黒（ＣＭＹＫ）枚葉オフセット印刷仕様（ＳＷＯＰ）の画像装置に関連付けられ、前記第二の色域は、Ｎｅｗｓｐｒｉｎｔ  Ａｄｖｅｒｔｉｓｉｎｇ  Ｐｒｏｄｕｃｔｉｏｎ仕様（ＳＮＡＰ）の画像装置に関連付けられることを特徴とするシステム。
（ネ）  プロセッサに、
第一の色域における第一の装置非依存色値を取得させ、
前記第一の装置非依存色値に非線形色調圧縮マッピングを適用して、前記第二の色域における第二の装置依色値を生成させる
命令を含むコンピュータ読取可能媒体。
（ノ）  上記項目（ネ）に記載のコンピュータ読取可能媒体であって、
前記非線形色調圧縮マッピングの適用は、第一の色調範囲に対応する装置非依存色値への黒点補正オフセットの適用と、第二の色調範囲に対応する装置非依存色値への約１の勾配での色調圧縮マッピングの適用を含むことを特徴とするコンピュータ読取可能媒体。
（ハ）  上記項目（ノ）に記載のコンピュータ読取可能媒体であって、
前記黒点補正オフセットは固定オフセットであることを特徴とするコンピュータ読取可能媒体。
（ヒ）  上記項目（ノ）に記載のコンピュータ読取可能媒体であって、
前記非線形色調圧縮マッピングの適用は、前記第一と第二の色調範囲を含む色調範囲を通じた変化する色調圧縮の適用を含み、前記変化する色調圧縮の量は、前記第一の範囲から前記第二の色調範囲に向かって徐々に増加することを特徴とするコンピュータ読取可能媒体。
（フ）  上記項目（ノ）に記載のコンピュータ読取可能媒体であって、
前記第一の色調範囲はシャドウトーンに略対応し、前記第二の色調範囲はハイライトトーンに略対応することを特徴とするコンピュータ読取可能媒体。
（ヘ）  上記項目（ネ）に記載のコンピュータ読取可能媒体であって、
前記非線形色調圧縮マッピングの適用は、前記色値への下式の適用を含むことを特徴とするコンピュータ読取可能媒体。
ｆ（ｘ）＝ＢＰＣ＋（１−ＢＰＣ）ｘ−ＢＰＣｘ（１−ｘ），
ｆ（ｘ）＝ＢＰＣｘ2＋（１−２ＢＰＣ）ｘ＋ＢＰＣ
ただし、ｘは色値であり、ＢＰＣは黒点補正オフセットである。
（ホ）  上記項目（ネ）に記載のコンピュータ読取可能媒体であって、
前記命令は、プロセッサに前記色値を知覚的赤、緑、青（ＲＧＢ）色空間に変換させ、前記非線形色調圧縮マッピングを前記変換された色値に適用させ、前記知覚的ＲＧＢ色空間のガンマは約１であることを特徴とするコンピュータ読取可能媒体。
（マ）  上記項目（ネ）に記載のコンピュータ読取可能媒体であって、
前記第一の色域は赤、緑、青（ＲＧＢ）色域であり、前記第二の色域はシアン、マゼンタ、黄、黒（ＣＭＹＫ）色域であることを特徴とするコンピュータ読取可能媒体。